【手続補正書】
【提出日】平成23年4月28日(2011.4.28)
【手続補正１】
【補正対象書類名】特許請求の範囲
【補正対象項目名】全文
【補正方法】変更
【補正の内容】
【特許請求の範囲】
【請求項１】
アナログの画像信号を出力する画像出力手段、上記画像出力手段で出力する画像信号の内容の変化の有無を判定する判定手段、及び上記判定手段での判定結果に応じて上記画像出力手段でのアナログの画像信号に含まれるＲＧＢ画像データ及び同期信号のうち少なくともいずれか一方の出力を制御する出力制御手段を備えた画像出力装置と、
アナログの画像信号を入力する画像入力手段、上記画像入力手段より入力されるアナログの画像信号をそのＲＧＢ画像データ及び同期信号を用いてデジタルの画像データに変換するＡ／Ｄ変換手段、上記Ａ／Ｄ変換手段で得たデジタルの画像データを記憶する画像記憶手段、上記画像記憶手段で記憶する画像データに基づいた光像を投影する投影手段、上記画像入力手段で入力するＲＧＢ画像データ及び同期信号のうち上記出力制御手段で制御される信号の有無を判断する判断手段、及び上記判断手段での判断結果に応じて上記Ａ／Ｄ変換手段の動作を停止させるＡ／Ｄ変換制御手段を備えた投影装置と
を有したことを特徴とする投影システム。
【請求項２】
アナログの画像信号を入力する画像入力手段と、
上記画像入力手段より入力されるアナログの画像信号をデジタルの画像データに変換するＡ／Ｄ変換手段と、
上記Ａ／Ｄ変換手段で得たデジタルの画像データを記憶する画像記憶手段と、
上記画像記憶手段で記憶する画像データに基づいた光像を投影する投影手段と、
上記画像入力手段で入力する画像信号の変化の有無を判断する判断手段と、
上記判断手段での判断結果に応じて上記Ａ／Ｄ変換手段の動作を停止させるＡ／Ｄ変換制御手段と
を具備したことを特徴とする投影装置。
【請求項３】
上記判断手段は、上記画像入力手段より入力されるアナログの画像信号に変化がないと判断した場合に、上記Ａ／Ｄ変換制御手段により上記Ａ／Ｄ変換手段の動作を停止させることを特徴とする請求項１又は２記載の投影装置。
【請求項４】
上記判断手段は、上記アナログの画像信号に含まれるＲＧＢ画像データ及び同期信号のうち少なくともいずれか一方の信号の入力がない場合に画像信号の変化がないと判断し、上記Ａ／Ｄ変換制御手段により上記Ａ／Ｄ変換手段の動作を停止させることを特徴とする請求項３記載の投影装置。
【請求項５】
上記判断手段は、上記画像記憶手段に順次記憶されるデジタルの画像データを所定間隔毎に比較する比較手段を備え、
上記比較手段による比較結果に基づいて画像信号の変化の有無を判断することを特徴とする請求項１乃至４のいずれか記載の投影装置。
【請求項６】
上記投影手段は、上記Ａ／Ｄ変換制御手段により上記Ａ／Ｄ変換手段の動作が停止されると、上記画像記憶手段で記憶した画像データのうち、上記Ａ／Ｄ変換手段の動作停止以前の画像データを読出して投影することを特徴とする請求項１乃至５のいずれか記載の投影装置。
【請求項７】
上記Ａ／Ｄ変換制御手段により上記Ａ／Ｄ変換手段の動作が停止されると、上記画像記憶手段で記憶した画像データのうち、上記Ａ／Ｄ変換手段の動作停止以前の画像データをｎ（ｎは２以上の整数）回を読出して投影させてから、上記判断手段は、上記画像入力手段で入力する画像信号の変化の有無を判断することを特徴とする請求項６記載の投影装置。
【請求項８】
電池を含む複数系統のうちの１つを選択し、上記装置が備える各手段に動作電力を供給する電源手段をさらに備え、
上記Ａ／Ｄ変換制御手段は、上記電源手段で電池を選択している状態で上記判断手段での判断結果に応じて上記Ａ／Ｄ変換手段の動作を停止させる
ことを特徴とする請求項１乃至７いずれか記載の投影装置。
【請求項９】
上記出力制御手段は、上記判定手段が上記画像出力手段で出力する画像信号の内容の変化がないと判定した場合、上記画像出力手段でのアナログの画像信号に含まれるＲＧＢ画像データ及び同期信号のうち少なくともいずれか一方の出力を停止するように制御することを特徴とする請求項１に記載の投影システム。
【請求項１０】
アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置での投影方法であって、
上記画像入力部で入力する画像信号の変化の有無を判断する判断工程と、
上記判断工程での判断結果に応じて上記Ａ／Ｄ変換部の動作を停止させるＡ／Ｄ変換制御工程と
を有したことを特徴とする投影方法。
【請求項１１】
アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置が内蔵したコンピュータが実行するプログラムであって、
上記画像入力部で入力する画像信号の変化の有無を判断する判断ステップと、
上記判断ステップでの判断結果に応じて上記Ａ／Ｄ変換部の動作を停止させるＡ／Ｄ変換制御ステップと
をコンピュータに実行させることを特徴とするプログラム。
【手続補正２】
【補正対象書類名】明細書
【補正対象項目名】０００８
【補正方法】変更
【補正の内容】
【０００８】
請求項３記載の発明は、上記請求項1又は２記載の発明において、上記判断手段は、上記画像入力手段より入力されるアナログの画像信号に変化がないと判断した場合に、上記Ａ／Ｄ変換制御手段により上記Ａ／Ｄ変換手段の動作を停止させることを特徴とする。
請求項４記載の発明は、上記請求項３記載の発明において、上記判断手段は、上記アナログの画像信号に含まれるＲＧＢ画像データ及び同期信号のうち少なくともいずれか一方の信号の入力がない場合に画像信号の変化がないと判断し、上記Ａ／Ｄ変換制御手段により上記Ａ／Ｄ変換手段の動作を停止させることを特徴とする。
【手続補正３】
【補正対象書類名】明細書
【補正対象項目名】０００９
【補正方法】変更
【補正の内容】
【０００９】
請求項５記載の発明は、上記請求項１乃至４のいずれか記載の発明において、上記判断手段は、上記画像記憶手段に順次記憶されるデジタルの画像データを所定間隔毎に比較する比較手段を備え、上記比較手段による比較結果に基づいて画像信号の変化の有無を判断することを特徴とする。
【手続補正４】
【補正対象書類名】明細書
【補正対象項目名】００１０
【補正方法】変更
【補正の内容】
【００１０】
請求項６記載の発明は、上記請求項１乃至５のいずれか記載の発明において、上記投影手段は、上記Ａ／Ｄ変換制御手段により上記Ａ／Ｄ変換手段の動作が停止されると、上記画像記憶手段で記憶した画像データのうち、上記Ａ／Ｄ変換手段の動作停止以前の画像データを読出して投影することを特徴とする。
請求項７記載の発明は、上記請求項６記載の発明において、上記Ａ／Ｄ変換制御手段により上記Ａ／Ｄ変換手段の動作が停止されると、上記画像記憶手段で記憶した画像データのうち、上記Ａ／Ｄ変換手段の動作停止以前の画像データをｎ（ｎは２以上の整数）回を読出して投影させてから、上記判断手段は、上記画像入力手段で入力する画像信号の変化の有無を判断することを特徴とする。
【手続補正５】
【補正対象書類名】明細書
【補正対象項目名】００１１
【補正方法】変更
【補正の内容】
【００１１】
請求項８記載の発明は、上記請求項１乃至７いずれか記載の発明において、電池を含む複数系統のうちの１つを選択し、上記装置が備える各手段に動作電力を供給する電源手段をさらに備え、上記Ａ／Ｄ変換制御手段は、上記電源手段で電池を選択している状態で上記判断手段での判断結果に応じて上記Ａ／Ｄ変換手段の動作を停止させることを特徴とする。
請求項９記載の発明は、上記請求項１記載の発明において、上記出力制御手段は、上記判定手段が上記画像出力手段で出力する画像信号の内容の変化がないと判定した場合、上記画像出力手段でのアナログの画像信号に含まれるＲＧＢ画像データ及び同期信号のうち少なくともいずれか一方の出力を停止するように制御することを特徴とする。
【手続補正６】
【補正対象書類名】明細書
【補正対象項目名】００１２
【補正方法】変更
【補正の内容】
【００１２】
請求項１０記載の発明は、アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置での投影方法であって、上記画像入力部で入力する画像信号の変化の有無を判断する判断工程と、上記判断工程での判断結果に応じて上記Ａ／Ｄ変換部の動作を停止させるＡ／Ｄ変換制御工程とを有したことを特徴とする。
【手続補正７】
【補正対象書類名】明細書
【補正対象項目名】００１３
【補正方法】変更
【補正の内容】
【００１３】
請求項１１記載の発明は、アナログの画像信号を入力する画像入力部、上記画像入力部より入力されるアナログの画像信号をデジタルの画像データに変換するＡ／Ｄ変換部、上記Ａ／Ｄ変換部で得たデジタルの画像データを記憶する画像記憶部、及び上記画像記憶部で記憶した画像データに基づいた光像を投影する投影部を備えた投影装置が内蔵したコンピュータが実行するプログラムであって、上記画像入力部で入力する画像信号の変化の有無を判断する判断ステップと、上記判断ステップでの判断結果に応じて上記Ａ／Ｄ変換部の動作を停止させるＡ／Ｄ変換制御ステップとをコンピュータに実行させることを特徴とする。